(57)【要約】【課題】  引き出しの側方の物品収納空間を広くする。【解決手段】  前面に物品出し入れ口４を有する収納庫本体３と、この収納庫本体３の前部に左右動自在に設けられた２枚の引き戸４０と、収納庫本体３の物品収納空間２３の左側部又は右側部に設けられた少なくとも１つの引き出し２６とを有し、前記引き出し２６が、左右いずれかの引き戸４０を完全に開いた際に形成される開口に対向するようになされ、且つ、引き出し２６の左右幅が前記開口の左右幅に等しいかやや短くなされ、前記引き出し２６の、収納庫本体３の中央側部が、収納庫本体３の中央側の固定の引き出し用ガイド側板２７に前後動自在に案内されるようになされ、引き出し用ガイド側板２７の、引き出し２６と逆の側が物品収納空間２３に直接臨んでいる。【選択図】  図１
2005304580.tif 000002
【特許請求の範囲】
【請求項１】
前面に物品出し入れ口を有する収納庫本体と、この収納庫本体の前部に左右動自在に設けられた２枚の引き戸と、収納庫本体の物品収納空間の左側部又は右側部に設けられた少なくとも１つの引き出しとを有し、前記引き出しが、左右いずれかの引き戸を完全に開いた際に形成される開口に対向するようになされ、且つ、引き出しの左右幅が前記開口の左右幅に等しいかやや短くなされ、前記引き出しの、収納庫本体の中央側部が、収納庫本体の中央側の固定の引き出し用ガイド側板に前後動自在に案内されるようになされ、引き出し用ガイド側板の、引き出しと逆の側が物品収納空間に直接臨んでおり、前記各引き戸が、不透明な素材からなる上下框と不透明な素材からなる左右框とからなる枠と、左右框に枠内空間を上下に仕切るようにして渡された少なくとも１本の不透明な素材からなる中框と、前記枠内空間を閉塞する少なくとも上下２枚の鏡板とを有し、前記鏡板の内、一つが透明な素材からなり、他の１つが不透明な素材からなり、前記引き出し及び引き出し用ガイド側板が、正面視において、閉じられた状態の引き戸の不透明な素材からなる鏡板とその周縁の框とからなる部分からはみ出さないように配置されている物品収納庫。
【請求項２】
前記収納庫本体の高さが１４００ｍｍ〜２４００ｍｍとなされ、前記透明な素材からなる鏡板の少なくとも一部が、立った状態の大人の視線高さである、１３００ｍｍ〜１６００ｍｍに位置するようになされている請求項１記載の物品収納庫。
【発明の詳細な説明】
【技術分野】
【０００１】
本発明は物品収納庫に関する。
【背景技術】
【０００２】
従来、この種の物品収納庫として図２〜図５に示すものは知られている。
以下、図２〜図５を参照しつつ、従来の物品収納庫を説明する。なお、この説明において、前とは図２紙面表側を、後とは同裏側をいい、左とは図２左側を、右とは同図右側をいう。
物品収納庫１の、前面に物品出し入れ口４を有する収納庫本体３は、左右の側板６と、左右の側板６の下部に渡された底板７と、左右の側板６の上部に渡された天板８と、側板６、底板７及び天板８の後部に取り付けられた背板９と、底板７の下面に設けられた所要本の脚１０とを有している。
前記収納庫本体３（脚１０を含む）の高さは、１４００ｍｍ〜２４００ｍｍである。
【０００３】
前記収納庫本体３の前部には、２枚の引き戸１２が、図４及び図５に示す公知の構造により左右動自在に設けられている。図４に示すごとく、底板７の下部に長手方向を左右方向に向けた下部ガイドレール１３が設けられ、この下部ガイドレール１３に各引き戸１２にブラケット１４を介して設けられた２個の車輪１５（軸心を上下方向に向けている）が左右動自在に嵌められている。また、図５に示すごとく、天板８の前部に長手方向を左右方向に向けた上部ガイドレール１８が設けられ、この上部ガイドレール１８に各引き戸１２にブラケット１９を介して設けられた２個の車輪２０（軸心を前後方向に向けている）が左右動自在に載置されている。
【０００４】
前記引き戸１２の可動距離は図３に示すごとく「Ｌ」となされている。
【０００５】
前記収納庫本体３の物品収納空間２３の左右方向中央に位置するようにして中央の垂直仕切板２４が設けられている。
前記物品収納空間２３の左側下部に、３つの引き出し２６が前後動自在に設けられている。前記引き出し２６は、左側の引き戸１２を完全に開いた際に形成される開口に対向するようになされ、且つ、引き出し２６の左右幅（引き出し２６の前後動する部分の最大左右幅をいう。）が前記開口の左右幅Ｌに等しいかやや短くなされている。前記引き出し２６の、収納庫本体３の中央側部（右側部）が、収納庫本体３の中央側の固定の引き出し用ガイド側板２７に公知のガイド機構（図示略）を介して前後動自在に案内されるようになされ、また、引き出し２６の、左側の側板６に対向する部分（左側部）が、左側の側板６に公知のガイド機構（図示略）を介して前後動自在に案内されるようになされている。
【０００６】
前記引き出し用ガイド側板２７と中央の垂直仕切板２４との間にスペーサー板２９が介在されている。
【０００７】
前記引き出し２６が設けられていない残りの物品収納空間２３には、所要枚の棚板３０が設けられている。
【特許文献１】特開平１１−１７８，６５５号公報
【発明の開示】
【発明が解決しようとする課題】
【０００８】
前記従来の物品収納庫１には以下の如き欠点があった。
引き出し２６と同一高さ位置に位置する中央の垂直仕切板２４及びスペーサー板２９の分だけ、引き出し２６の側方の物品収納空間２３が狭くなるという欠点があった。
【課題を解決するための手段】
【０００９】
本発明は前記欠点を解消するために以下の如き手段を採用した。
（１）請求項１の発明は、前面に物品出し入れ口を有する収納庫本体と、この収納庫本体の前部に左右動自在に設けられた２枚の引き戸と、収納庫本体の物品収納空間の左側部又は右側部に設けられた少なくとも１つの引き出しとを有し、前記引き出しが、左右いずれかの引き戸を完全に開いた際に形成される開口に対向するようになされ、且つ、引き出しの左右幅が前記開口の左右幅に等しいかやや短くなされ、前記引き出しの、収納庫本体の中央側部が、収納庫本体の中央側の固定の引き出し用ガイド側板に前後動自在に案内されるようになされ、引き出し用ガイド側板の、引き出しと逆の側が物品収納空間に直接臨んでおり、前記各引き戸が、不透明な素材からなる上下框と不透明な素材からなる左右框とからなる枠と、左右框に枠内空間を上下に仕切るようにして渡された少なくとも１本の不透明な素材からなる中框と、前記枠内空間を閉塞する少なくとも上下２枚の鏡板とを有し、前記鏡板の内、一つが透明な素材からなり、他の１つが不透明な素材からなり、前記引き出し及び引き出し用ガイド側板が、正面視において、閉じられた状態の引き戸の不透明な素材からなる鏡板とその周縁の框とからなる部分からはみ出さないように配置されているものである。
（２）請求項２の発明は、前記収納庫本体の高さが１４００ｍｍ〜２４００ｍｍとなされ、前記透明な素材からなる鏡板の少なくとも一部が、立った状態の大人の視線高さである、１３００ｍｍ〜１６００ｍｍに位置するようになされている請求項１記載のものである。
なお、この明細書において、「透明な素材」とは、日中の屋外において、素材の前方から当該素材を通じて当該素材の後方４０ｍｍに位置させた物品を見た際、当該物品の外形形状がぼやけないような（当該物品の外形形状が明瞭に見える）素材をいい、それ以外の素材を「不透明な素材」という。
【発明の効果】
【００１０】
本発明は前記した如き構成によって以下の如き効果を奏する。
（１）請求項１の発明によれば、従来と相違して、引き出しと同一高さ位置に位置する中央の垂直仕切板及びスペーサー板がないので、その分だけ、引き出しの側方の物品収納空間を広くすることが出来る。また、引き出し及び引き出し用ガイド側板が、正面視において、閉じられた状態の引き戸の不透明な素材からなる鏡板とその周縁の框とからなる部分からはみ出さないように配置されているので、引き出し用ガイド側板（収納庫本体の左右方向中央に位置せず、引き出し側に片寄って位置する）が、見えないか又は見えにくくなるので、引き出し用ガイド側板の位置が、不自然な位置、即ち、収納庫本体の左右方向中央の位置でなくて引き出し側に片寄った位置であっても、それに由来する外部から見た意匠的な違和感がない。
（２）請求項２の発明によれば、透明な素材からなる鏡板の少なくとも一部が、立った状態の大人の視線高さである、１３００ｍｍ〜１６００ｍｍに位置するようになされているので、頻繁に使用する物品を、透明な素材からなる鏡板の後方に位置する物品収納空間に収納するようにすることにより、通常の立った状態で、頻繁に使用する物品を引き戸を開けることなく視認出来、使い勝手がよい。また、立った状態の大人の視線高さが透明となっているので、圧迫感を感じにくい。
【発明を実施するための最良の形態】
【００１１】
以下に本発明の実施の形態を説明する。
なお、この説明において、前とは図１紙面表側を、後とは同裏側をいい、左とは図１左側を、右とは同図右側をいう。また、図２〜図５に示す部材と同一の部材は同一の符号で示す。
【００１２】
引き出し用ガイド側板２７の、引き出し２６と逆の側（右側）が物品収納空間２３に直接臨んでいる。即ち、引き出し用ガイド側板２７の右側方には、従来は存在した中央の垂直仕切板２４及びスペーサー板２９がない。
【００１３】
各引き戸４０は、不透明な素材からなる上下の框４１と不透明な素材からなる左右の框４２とからなる枠４３と、左右の框４２に枠４３内の空間を上下に仕切るようにして渡された２本の不透明な素材からなる中框４４と、前記枠４３内の空間を閉塞する上中下３枚の鏡板４６、４７、４８とを有している。
【００１４】
前記中の鏡板４７（上下長さが６００ｍｍ程度）が透明な素材からなり、上の鏡板４６及び下の鏡板４８が不透明な素材からなっている。そして、引き出し２６及び引き出し用ガイド側板２７が、正面視において、閉じられた状態の左の引き戸４０の下の鏡板４８とその周縁の下の框４１、左右の框４２及び中框４４とからなる部分からはみ出さないように配置されている。
このような構成により、引き出し２６及び引き出し用ガイド側板２７は、正面視において、閉じられた状態の左の引き戸４０により、見えないか又は見えにくくなっている。
【００１５】
前記中の鏡板４７（透明な鏡板）の少なくとも一部が、立った状態の大人（身長１４５０ｍｍ〜１７５０ｍｍ）の視線高さである、１３００ｍｍ〜１６００ｍｍに位置するようになされている。
【００１６】
以下に変形例等について説明を加える。
（１）各引き戸は、不透明な素材からなる上下框と不透明な素材からなる左右框とからなる枠と、左右框に枠内空間を上下に仕切るようにして渡された少なくとも１本の不透明な素材からなる中框と、前記枠内空間を閉塞する少なくとも上下２枚の鏡板とを有しており、前記鏡板の内、一つが透明な素材からなり、他の１つが不透明な素材からなるものであればよい。
（２）上の鏡板４６、中の鏡板４７、下の鏡板４８の素材は任意である。
【図面の簡単な説明】
【００１７】
【図１】本発明の実施の形態を示す簡略の一部破砕正面図である。
【図２】従来の物品収納庫を示す簡略の一部破砕正面図である。
【図３】図２のＩＩＩ−ＩＩＩ線断面図である。
【図４】図２のＩＶ−ＩＶ線拡大断面図である。
【図５】図２のＶ−Ｖ線拡大断面図である。
【符号の説明】
【００１８】
３  収納庫本体
４  物品出し入れ口
２３  物品収納空間
２６  引き出し
２７  引き出し用ガイド側板
４０  引き戸
４１  上下の框
４２  左右の框
４３  枠
４４  中框
４６  上の鏡板
４７  中の鏡板
４８  下の鏡板
【図１】
2005304580.tif 000003
【図２】
2005304580.tif 000004
【図３】
2005304580.tif 000005
【図４】
2005304580.tif 000006
【図５】
2005304580.tif 000007